(57)【要約】【課題】捕獲した深海生物の生息環境に適した水圧を維持することができ、深海生物の運搬や飼育に好適な深海生物水槽を提供する。【解決手段】空気を排出した状態にして水とともに深海生物を収容する密閉容器１と、密閉容器１内の空気の排出状態を維持しつつ加圧媒体を介して同密閉容器１内の水を加圧する加圧機構１２を備え、密閉容器１に、開閉可能な加圧媒体の圧入部１０を設けると共に、圧入部１０に対して加圧機構１２を着脱自在にした深海生物水槽とし、船上等のようにスペースが限られた場所においても、捕獲した深海生物が生息できる水圧環境を容易に得ることができると共に、深海生物の運搬や飼育に便利なものとし、また、コンパクトで可搬性に優れると共に、船内等の狭いスペースでの設置や収納に容易に対処し得るものとした。【選択図】  図１
2005006547.tif 000002
【特許請求の範囲】
【請求項１】
空気を排出した状態にして水とともに深海生物を収容する密閉容器と、密閉容器内の空気の排出状態を維持しつつ加圧媒体を介して同密閉容器内の水を加圧する加圧機構を備え、密閉容器に、開閉可能な加圧媒体の圧入部を設けると共に、圧入部に対して加圧機構を着脱自在にしたことを特徴とする深海生物水槽。
【請求項２】
加圧媒体が、水又は水不溶性液状物であることを特徴とする請求項１に記載の深海生物水槽。
【請求項３】
加圧機構における加圧媒体の加圧源が、液圧又はガス圧であることを特徴とする請求項１又は２に記載の深海生物水槽。
【請求項４】
空気を排出した状態にして水とともに深海生物を収容する密閉容器と、密閉容器内の空気の排出状態を維持しつつ同密閉容器内に対して突没する方向に移動可能な加圧体と、加圧体を密閉容器内に移動させて突出状態に保持する駆動体を備えたことを特徴とする深海生物水槽
【請求項５】
空気を排出した状態にして水とともに深海生物を収容する密閉容器と、加圧媒体とともに密閉容器を収容する耐圧容器と、耐圧容器内の加圧媒体を加圧する加圧機構を備え、密閉容器の少なくとも一部が可撓性材料で形成してあると共に、耐圧容器に、開閉可能な加圧媒体の圧入部を設け、圧入部に対して加圧機構を着脱自在にしたことを特徴とする深海生物水槽。
【請求項６】
加圧媒体が、液体又は気体であることを特徴とする請求項５に記載の深海生物水槽。
【発明の詳細な説明】
【０００１】
【産業上の利用分野】
本発明は、深海等の高水圧域で生息する動物、植物及び微生物等の深海生物を運搬したり飼育したりするのに用いる深海生物水槽に係り、とくに、コンパクトで可搬性に優れた深海生物水槽に関するものである。
【０００２】
【従来の技術】
高水圧域で生息する深海生物は、大気圧域に引き上げると、圧力変動により死んでしまうものが多いが、一時的に生存可能なものがいる。このような深海生物を捕獲してその生命を維持するには、一刻も早く生存可能な水圧環境に収容する必要がある。しかしながら、従来にあっては、深海生物の主な捕獲現場である船上等の限られた場所において高い水圧環境を作ることが難しく、また、深海生物を運搬したり飼育したりするに際して簡単に取り扱うことができる水槽はなかった。
【０００３】
【発明が解決しようとする課題】
ところで、深海生物の生命を維持するには、所定の水圧環境が得られる密閉型の水槽を用いれば良いのであるが、例えば、空気が封入された状態で水槽内の水を加圧すると、空気が徐々に水に溶解するのに伴って水圧が低下すると共に、水中の溶存ガス濃度が高くなって生息域の溶存ガス濃度と異なるものとなり、これにより深海生物に損傷を与えるという問題がある。また、水槽が破損した場合、封入されていた空気が急激に膨張するため、水槽の破片が飛散する恐れがあるといった問題もある。
【０００４】
【発明の目的】
本発明は、上記従来の状況に鑑みて成されたものであって、船上等のようにスペースが限られた場所においても、捕獲した深海生物が生息できる水圧環境を容易に得ることができ、深海生物の運搬や飼育に好適であって、コンパクトで可搬性に優れると共に、安全性にも優れた深海生物水槽を提供することを目的としている。
【０００５】
【課題を解決するための手段】
本発明の深海生物水槽は、空気を排出した状態にして水とともに深海生物を収容する密閉容器と、密閉容器内の空気の排出状態を維持しつつ加圧媒体を介して同密閉容器内の水を加圧する加圧機構を備え、密閉容器に、開閉可能な加圧媒体の圧入部を設けると共に、圧入部に対して加圧機構を着脱自在にしたことを特徴としている。
【０００６】
また、本発明の深海生物水槽は、空気を排出した状態にして水とともに深海生物を収容する密閉容器と、密閉容器内の空気の排出状態を維持しつつ同密閉容器内に対して突没する方向に移動可能な加圧体と、加圧体を密閉容器内に移動させて突出状態に保持する駆動体を備えたことを特徴としている。
【０００７】
さらに、本発明の深海生物水槽は、空気を排出した状態にして水とともに深海生物を収容する密閉容器と、加圧媒体とともに密閉容器を収容する耐圧容器と、耐圧容器内の加圧媒体を加圧する加圧機構を備え、密閉容器の少なくとも一部が可撓性材料で形成してあると共に、耐圧容器に、開閉可能な加圧媒体の圧入部を設け、圧入部に対して加圧機構を着脱自在にしたことを特徴としている。
【０００８】
【発明の効果】
本発明の深海生物水槽によれば、比較的簡単な構成であって、船上等のようにスペースが限られた場所でも、捕獲した深海生物が生息できる水圧環境を容易に得ることができ、この際、密閉容器内の空気の排出状態を維持しつつ同密閉容器内の水を加圧することから、混入空気による水圧の低下や水中の溶存ガス濃度の上昇を未然に防止して、深海生物の水圧環境を良好に維持することができる。
【０００９】
さらに、本発明の深海生物水槽によれば、密閉容器又は密閉容器と耐圧容器を単体として取り扱うことができるので、深海生物の運搬や飼育にも非常に便利なものとなり、また、万一水槽が破損したとしても、急激に膨張する混入空気が除去してあるので水槽の破片が飛散するような事態に至ることもなく、安全性にも優れ、そしてまた、コンパクトで可搬性に優れたものとなる。
【００１０】
【発明の実施の形態】
本発明の深海生物水槽は、空気を排出した状態にして水とともに深海生物を収容する密閉容器と、密閉容器内の空気の排出状態を維持しつつ加圧媒体を介して同密閉容器内の水を加圧する加圧機構を備えており、密閉容器に、開閉可能な加圧媒体の圧入部を設けると共に、圧入部に対して加圧機構を着脱自在にしたものとなっている。
【００１１】
なお、本発明の深海生物水槽は、深海生物（海洋生物）を主に対象としているが、その他の深層生物にも当然適用可能であり、密閉容器に収容する水としては海水だけでなく真水も含まれる。
【００１２】
密閉容器は、その内部の水が加圧されるので、当然のことながら加圧に対応した耐圧性を有するものであり、代表的には、２ＭＰａ以上の水圧に対する耐圧性を有すると共に、対象とする深海生物を収容し得るものであれば、形状等がとくに限定されるものではなく、材質にあっても、例えば、ステンレススチール、チタン、アクリル、塩化ビニル、及びこれらの複合材等が挙げられる。
【００１３】
また、密閉容器は、水とともに深海生物を収容して蓋等で密閉することとなるが、このとき、例えば蓋を容器内に押し込み、開放した圧入部等から水を溢流させることによって内部の空気を排出する。なお、空気の排出状態としては、実質的に密閉容器内に空気の封入がない状態が得られればよく、ごく僅かに残留した空気が水の加圧とともに水中に溶解することもあり得るが、収容した深海生物に損傷を与えるほどの溶存ガス濃度の上昇が生じることはない。
【００１４】
そして、当該深海生物水槽では、加圧機構により、密閉容器内の空気の排出状態を維持しつつ加圧媒体を介して密閉容器内の水を加圧し、密閉容器内を深海生物が生息可能な水圧環境にする。このとき、加圧媒体としては、例えば、水、油等の水不溶性液状物が挙げられるが、水が好適であり、密閉容器に収容した水と同じものがより好適である。その後、密閉容器における加圧媒体の圧入部を閉塞し、上記の水圧環境を維持する。
【００１５】
このように、深海生物水槽では、加圧媒体を用いて空気の排出状態を維持しつつ密閉容器内の水を加圧するので、混入空気による水圧の低下や水中の溶存ガス濃度の上昇が生じることはなく、深海生物の水圧環境を良好に維持し得るものとなる。また、万一水槽が破損したとしても、急激に膨張する混入空気が除去してあるので水槽の破片が飛散するような事態に至る心配もなく、安全性にも優れたものとなる。
【００１６】
また、上記深海生物水槽では、加圧媒体の圧入部を閉塞した後、加圧機構を圧入部から取り外すことにより、密閉容器を単体として取り扱うことが可能になるので、深海生物の運搬や飼育に対する利便性を非常に高めることができ、しかも、複数の密閉容器に対して共通の加圧機構を用いることができるので、製造コストの低減などにも貢献し得るものとなる。
【００１７】
上記加圧機構において、加圧媒体の加圧源には、水圧や油圧といった液圧、又は空気圧を含むガス圧を用いることができる。加圧機構は、使用する加圧源に応じて、バルブ、ポンプ、コンプレッサー、ガスボンベ及び圧力計等の各種機器を備えた流体供給系を構成している。なお、加圧源に用いるガスの種類としては、取り扱い上、危険性のないものであればよく、例えば、空気、酸素、窒素、炭酸ガス及びアルゴン等が利用しやすい。
【００１８】
また、加圧源にガス圧を用いる場合、加圧媒体をガス圧で密閉容器内に向けて加圧することとなるが、ガスと加圧媒体（液体）との気液接触面積は小さく、且つ気液接触時間も圧入時だけの短時間であるので、加圧媒体及び密閉容器内の水に対するガスの溶解は殆どなく、ガス圧使用による実害はない。
【００１９】
ここで、深海生物の捕獲現場は主に船上であり、しかも小型船の甲板等である場合が多いことを考慮すると、その利便性から、加圧機構にはガスボンベの使用が好適である。この場合、ガスそのものを消費するのではなく、ガス圧を利用することから、ガスの消費量は極めて少なく、小容量のガスボンベでも長期間利用することができ、着脱が容易であると共に、電源も不要であるなどの利点がある。また、ガス圧は減圧弁等で容易に調節し得るので、急速な圧力変動を避けて段階的に所定の水圧に到達させることもでき、これにより深海生物への影響を少なくすることができる。
【００２０】
さらに、本発明の深海生物水槽の他の好適な実施形態では、空気を排出した状態にして水とともに深海生物を収容する密閉容器と、密閉容器内の空気の排出状態を維持しつつ同密閉容器内に対して突没する方向に移動可能な加圧体と、加圧体を密閉容器内に移動させて突出状態に保持する駆動体を備えたことを特徴としている。
【００２１】
この場合、加圧体は適宜の体積を有するもので、材質としては、例えば、ガラス、ステンレススチール、セラミックス、プラスチック類等の硬質のものが挙げられ、その形状としては、とくに限定されないが、例えば、丸棒状や角棒状等が挙げられる。また、駆動体には、梃子、ねじ、ジャッキ等の力を増幅する手段を用いることができ、とくに、ねじを用いる場合には、加圧体と駆動体を別体にしたり双方を一体にしたりすることができる。
【００２２】
上記の深海生物水槽では、空気を排出した状態にして水とともに深海生物を密閉容器に収容した後、駆動体により、密閉容器内の水圧に抗して加圧体を突出方向に移動させ、さらに加圧体を突出状態に保持する。これにより、密閉容器において、空気の排出状態を維持しつつ、加圧体とほぼ同体積分の水を加圧圧縮する。このとき、望ましくは、圧力容器に、内部水圧を検出する圧力計を設けておき、この圧力計を確認しつつ駆動体を操作して加圧体の突出量を設定すれば、水圧を容易に調整することができる。
【００２３】
このように、上記深海生物水槽では、その構造や操作性をより簡単なものにすることができ、深海生物の運搬や飼育に対しても利便性がより高められる。
【００２４】
さらに、本発明の深海生物水槽の他の好適な実施形態では、空気を排出した状態にして水とともに深海生物を収容する密閉容器と、加圧媒体とともに密閉容器を収容する耐圧容器と、耐圧容器内の加圧媒体を加圧する加圧機構を備え、密閉容器の少なくとも一部が可撓性材料で形成してあると共に、耐圧容器に、開閉可能な加圧媒体の圧入部を設け、圧入部に対して加圧機構を着脱自在にしたことを特徴としており、また、加圧機構における加圧媒体が、液体又は気体である構成としている。
【００２５】
この場合、密閉容器は、例えば、ステンレススチール、チタン、アクリル、塩化ビニル及びこれらの複合材等の材質で主体部を形成すると共に、その一部を塩化ビニル、ゴム及び金属製薄膜等の可撓性材料で形成することができるほか、可撓壁を複数個所に設けたり全体を可撓性材料で形成したりすることもよく、例えば樹脂製の袋体であってもよい。
【００２６】
また、耐圧容器としては、形状や材質がとくに制限されることはないが、例えば、ステンレススチール、チタン、アクリル、塩化ビニル及びこれらの複合材等から成る容器が挙げられる。なお、耐圧容器は、加圧に対応した耐圧性を有するものであり、代表的には２ＭＰａ以上の水圧に対する耐圧性を有するもの等である。この耐圧容器に収容する加圧媒体としては、例えば、水や油等の液体、又は空気を含むガスを用いることができ、これらは加圧機構を構成するポンプ、コンプレッサー、ガスボンベ等により加圧供給される。
【００２７】
上記の深海生物水槽は、密閉容器に、空気を排出した状態にして水とともに深海生物を収容し、次いで、耐圧容器に、密閉容器とともに加圧媒体を収容した後、加圧機構によって耐圧容器内の加圧媒体を加圧することにより、密閉容器における可撓性材料の部分（例えば可撓壁）を介して同密閉容器内の水を加圧する。これにより、密閉容器の空気の排出状態を維持しつつ、密閉容器内を深海生物に適した水圧環境にする。
【００２８】
このように、上記深海生物水槽は、先の各実施形態と同様に、船上等のようにスペースが限られた場所においても、捕獲した深海生物が生息できる水圧環境を容易に得ることができ、且つ安全性及び可搬性にも優れたものであるうえに、耐圧容器に複数の密閉容器を収納して同時に加圧することもでき、深海生物の運搬等において利便性をより一層高めることができる。
【００２９】
なお、本発明の深海生物水槽は、上記各実施形態のほか、密閉容器から取り出した水に濾過や生物処理等を行って再び密閉容器に戻す循環機構、密閉容器から取り出した水を大気圧で曝気して再び密閉容器に圧送するガス置換機構、給餌機構及び観察窓等を設けることにより、飼育用としての利便性を高めることもできる。また、当該深海生物水槽は、密閉容器に圧力計を取り付けるのが好ましく、さらに、深海の水温は摂氏４度前後であることから、冷却手段を設けて深海生物の損傷を防ぐのがより好ましい。
【００３０】
【実施例】
以下、図面に基づいて、本発明の深海生物水槽の実施例を説明するが、本発明の深海生物水槽の詳細な構成はこれらの実施例に限定されるものではない。
【００３１】
（実施例１）
図１に示す深海生物水槽は、空気を排出した状態にして水とともに深海生物を収容する密閉容器１と、密閉容器１内の空気の排出状態を維持しつつ加圧媒体を介して密閉容器１内の水を加圧する加圧機構１２を備えている。密閉容器１は、円筒状胴部２と、Ｏリング３を介して円筒状胴部２の下端部外側に水密的にねじ結合した底蓋４と、Ｏリング５を介して円筒状胴部２の上端部内側に水密的にねじ結合する上蓋６を備えている。
【００３２】
また、上蓋６は、上側の中心部に、パイプ７、開閉弁８及び流体継手の一方であるソケット９で構成した開閉可能な加圧媒体の圧入部１０が設けてあり、容器内となる下側に、空気の排出を容易にするために、圧入部１０を中心にして逆漏斗状を成す傾斜面６ａが形成してある。さらに、密閉容器１は、円筒状胴部２の外周に、例えば金属製のベルト１１が巻き付けてあり、これにより耐圧性の向上や円筒状胴部２の薄肉化を図っている。
【００３３】
加圧機構１２は、加圧媒体の加圧源としてガス圧（空気圧）を用いるものであって、ガスボンベ１３、ストップ弁１４、減圧弁１５、三方弁１６、加圧媒体の圧入パイプ１７、及び流体継手の他方であるプラグ１８を順次連結した構成を有し、密閉容器１の圧入部１０を構成するソケット９に対してプラグ１８が着脱自在になっている。また、減圧弁１５と三方弁１６の間には圧力計１９が設けてある。さらに、この実施例では、加圧媒体として水を使用する。
【００３４】
なお、三方弁１６は、圧入パイプ１７に対する流路を減圧弁１５側と大気側とに切り替えるものである。また、加圧媒体の圧入パイプ１７を設けた目的は、本実施例では加圧源がガス圧であるので、加圧媒体の充填量を充分なものにして、密閉容器１内へのガスの混入を防ぐためである。
【００３５】
上記構成を備えた深海生物水槽では、上蓋６を外した密閉容器１内に、充分な水とともに深海生物を収容し、開閉弁８を開いた状態にして上蓋６を円筒状胴部２にねじ結合する。この際、密閉容器１では、上蓋６のねじ込みとともに空気が排出され、さらに水が圧入部１０から溢流することとなり、実質的に空気が封入されていない状態となる。
【００３６】
次に、加圧機構１２において、大気開放の状態にした三方弁１６から注入した加圧媒体（水）を圧入パイプ１７に通してプラグ１８から溢流させながら、プラグ１８と圧入部１０のソケット９とを連結することにより、空気の混入を防ぎつつ経路に加圧媒体（水）を充填し、続いて、三方弁１６を減圧弁１５側に切り替える。なお、この場合の加圧媒体（水）の充填量は、ガス圧により加圧媒体が圧入されても、密閉容器１内にガスが流入することのない充分な量とする。
【００３７】
その後、ガスボンベ１３のストップ弁１４を開くことにより、ガス圧で加圧媒体を密閉容器１内に向けて加圧し、これにより密閉容器１内の空気の排出状態を維持しつつ同密閉容器１内の水を加圧する。この際、圧力計１９を見ながら減圧弁１５を調節し、所定の圧力に達したときに開閉弁８を閉じれば、密閉容器１内の水圧が維持されることとなる。
【００３８】
このように、上記実施例の深海生物水槽では、密閉容器１内に空気を混入させることなく内部の水を加圧して、深海生物に適した水圧環境を速やかに作ることができ、また、ソケット９からプラグ１８を外せば、密閉容器１を単体として取り扱うことができ、深海生物の運搬や飼育に非常に便利であり、コンパクトで可搬性に優れている。
【００３９】
（実施例２）
図２に示す深海生物水槽において、密閉容器２１は、有底円筒状の容器本体２２と、Ｏリング２３を介して容器本体２２の開口部内側にねじ結合される落とし蓋の如き蓋体２４を備えている。蓋体２４は、上部中央に、めねじ２４ａを形成した凹部２４ｂが設けてあると共に、中心部に、加圧体２５が設けてある。
【００４０】
加圧体２５は、密閉容器１内に対して突没する方向に移動可能に設けてある。より具体的には、加圧体２５は、蓋体２４の凹部２４ｂの中心に設けた貫通孔２４ｃに対し、Ｏリング２６を介して、摺動自在に且つ水密的に貫通していると共に、上端部に固定したばね座２７と蓋体２４の上面との間にスプリング２８を介装することで上方向に付勢してあり、下端部には、抜け止め用の鍔部２５ａが形成してある。
【００４１】
また、深海生物水槽は、上記加圧体２５に対して、これを移動させて突出状態に保持する駆動体２９を備えている。駆動体２９は、概略円盤状の部材であって、蓋体２４の凹部２４ｂに対応して、おねじ２９ａを形成した凸部２９ｂを有すると共に、凸部２９ｂの中央には、加圧体２５の上端部が突入する受け穴２９ｃを有している。
【００４２】
上記構成を備えた深海生物水槽は、容器本体２２に、充分な水とともに深海生物を収容し、容器本体２２に蓋体２４をねじ結合する。この際、当該深海生物水槽では、蓋体２４が落とし蓋の如き形態を成しているので、ねじ込むにしたがって内部の空気が螺合部分から外部に排出され、さらに内部の水が螺合部分から溢れ出し、最終的に蓋体２４の鍔部２４ｄがＯリング２３に圧接して密閉容器１を封止する。このとき、加圧体２５は、スプリング２８の作用で図示の位置よりも上側にあり、鍔部２５ａが蓋体２４の下面に当接している。
【００４３】
次に、当該深海生物水槽では、蓋体２４の凹部２４ｂに駆動体２９の環状凸部２９ｂをねじ込むと、これと同時に受け穴２９ｃの天面とばね座２７が当接し、さらに駆動体２９をねじ込むことで、密閉容器２１内の水圧に抗して加圧体２５を水中に突出させ、これにより空気の排出状態を維持しつつ密閉容器２１内の水を加圧する。そして、密閉容器２１に設けた圧力計（図示せず）を見ながら、駆動体２９のねじ込み量を増すことで水圧を高めていき、所定の圧力に達したところで駆動体２９のねじ込みを止める。
【００４４】
このように、上記実施例の深海生物水槽では、密閉容器２１内に空気を混入させることなく内部の水を加圧して、深海生物に適した水圧環境を速やかに作ることができると共に、深海生物の運搬や飼育に非常に便利であって、コンパクトで可搬性に優れており、また、電気やガス等の動力源も一切不要であって、構造の大幅な簡略化、小型軽量化及び低コスト化などを実現し得るものとなる。
【００４５】
（実施例３）
図３に示す深海生物水槽は、図２に示す実施例２の深海生物水槽では加圧体２５と駆動体２９が別体であったのに対して、加圧体２５を駆動体２９の凸部２９ｂに一体化した構成を有している。この場合、ばね座（図２中の符号２７）やスプリング（図２中の符号２８）が不要となり、構造がより簡単なものになると共に、部品点数の削減等によりさらなる低コスト化も実現する。
【００４６】
上記の深海生物水槽では、容器本体２２に充分な水とともに深海生物を収容すると共に、予め蓋体２４に駆動体２９を組み付けておき、この際、空気の残留が生じないように、図示の如く蓋体２４の下面と加圧体２５の先端面が連なる状態に双方を組み付けておき、この状態で容器本体２２に蓋体２４をねじ結合することで、先の実施例２と同様に密閉容器２１内の余分な水と空気を排出する。その後、駆動体２９を下方にねじ込むことにより、図中に仮想線で示すように加圧体２５を密閉容器２１内に移動させて同密閉容器２１内の水を加圧し、且つ加圧体２５の突出状態を保持して所定の水圧環境を維持する。
【００４７】
また、上記の深海生物水槽では、以下の手順で密閉容器２１内の水を加圧することもできる。すなわち、容器本体２２に充分な水とともに深海生物を収容した後、容器本体２２に蓋体２４のみをねじ結合して、貫通孔２４ｃから凹部２４ｃ内に水を溢れ出させる。その後、貫通孔２４ｃに加圧体２５を挿入して蓋体２４に駆動体２９をねじ込み、加圧体２４を密閉容器２１内に移動させて突出状態を保持することにより、密閉容器２１内の空気の排出状態を維持しつつ同密閉容器２１内の水を加圧し、且つその水圧環境を維持することができる。
【００４８】
上記の深海生物水槽にあっても、先の実施例２と同様に、深海生物に適した水圧環境を速やかに作ることができると共に、深海生物の運搬や飼育に非常に便利であって、コンパクトで可搬性に優れており、また、電気やガス等の動力源も一切不要であり、構造のさらなる簡略化、小型軽量化及び低コスト化などを実現し得るものとなる。
【００４９】
（実施例４）
図４（ａ）に示す深海生物水槽は、密閉容器４１の一部が可撓性材料で形成した可撓壁４２になっており、この密閉容器４１に水とともに深海生物を収容し、且つ先の各実施例と同様に密閉容器４１内の空気を排出状態にする。
【００５０】
また、この深海生物水槽は、加圧媒体とともに密閉容器４１を収容する耐圧容器４３と、耐圧容器４３内の加圧媒体を加圧する加圧機構１２を備えており、耐圧容器４３内の加圧媒体を加圧することで、図中に仮想線で示すように密閉容器４１の可撓壁４２を容器内に膨出変形させ、これにより空気の排出状態を維持しつつ密閉容器４１内の水を加圧するものとなっている。
【００５１】
なお、耐圧容器４３には、図１に示す実施例と同様の加圧媒体の圧入部１０が設けてあると共に、加圧機構１２には、図１に示す実施例と同様の加圧機構が用いられており、耐圧容器４３の圧入部１０に対して加圧機構１２を自在に着脱することができる。また、本実施例では加圧媒体としてガスを使用している。
【００５２】
上記の深海生物水槽にあっても、先の各実施例と同様の効果を得ることができるうえに、図４（ｂ）に示すように、耐圧容器４３に複数の密閉容器４１を収容することもでき、この場合には、各密閉容器４１内の水を同時に加圧して、深海生物に適した水圧環境を維持することができ、また、耐圧容器４３と加圧機構１２を分離し得るので、深海生物の運搬や飼育にも非常に便利であって、コンパクトで可搬性にも優れている。
【図面の簡単な説明】
【図１】本発明の深海生物水槽の一実施例を説明する断面図である。
【図２】本発明の深海生物水槽の他の実施例を説明する断面図である。
【図３】本発明の深海生物水槽のさらに他の実施例を説明する断面図である。
【図４】本発明の深海生物水槽のさらに他の実施例を説明する断面図（ａ）及び耐圧容器に複数の密閉容器を収容した場合を示す平面説明図（ｂ）である。
【符号の説明】
１  ２１  ４１  密閉容器
１０            圧入部
１２            加圧機構
２５            加圧体
２９            駆動体
４２            可撓壁
４３            耐圧容器
【図１】
2005006547.tif 000003
【図２】
2005006547.tif 000004
【図３】
2005006547.tif 000005
【図４】
2005006547.tif 000006